(57)【特許請求の範囲】
【請求項１】
ボールを収容するための袋部材と、該袋部材を支持するための支持構造体とからなり、
当該袋部材が開放された状態でボールが収容されるボール籠であって、
上記袋部材が、側面部材と、底面部材とからなり、
前記側面部材と底面部材とが別体であり、
前記側面部材と前記底面部材とが、それぞれ、前記支持構造体に支持されてなる
ことを特徴とするボール籠。
【請求項２】
前記支持構造体が、実質的に水平な設置面上の四角形領域の角部に垂直方向に配列された４本の支柱と、
該４本の支柱の上端に取りつけられた固定ブラケットと、
上記４本の支柱に摺動可能に取りつけられた可動ブラケットと、
上記４本の支柱の隣り合う支柱間において、上記固定ブラケットと可動ブラケットとの間に両端が回動可能に取りつけられたＸ字状フレームであって、当該Ｘ字状フレームの交差部が枢支されてなるＸ字状フレームと、
上記固定ブラケットおよび可動ブラケット間に弾性引張力を付与する弾性部材とを備えており、
上記袋部材が、上記４本の支柱によって規定される四角形領域の周囲を囲む側面部材と、四角形の底面部材とからなり、
当該底面部材が、上記支柱を通す輪状の第１バンドと、第２バンドとによって支持され、
該第２バンドの下端が上記底面部材の側辺に固定され、該第２バンドの上端が上記Ｘ字状フレームの外側を通って上記固定ブラケットに固定され、
前記第２バンドが、上記袋部材にボールが格納されたとき、該ボールの重量により上記第２バンドと上記Ｘ字状フレームとが接触するように設置されてなることを特徴とする請求項１記載のボール籠。
【発明の詳細な説明】
【０００１】
【発明の属する技術分野】
本発明は、バレーボール、バスケットボール、ハンドボールなどの球技用のボールを複数個収容するボール籠に関する。
【０００２】
【従来の技術】
この種のボール籠として、図５〜６に示す構造が知られている。すなわち、ボール籠は、ほぼ水平な設置面Ｓ上の四角形領域Ｒの角部Ｃに垂直方向に配列された４本の支柱２１、２２、２３、２４と、支柱２１、２２、２３、２４の上端に取りつけられた固定ブラケット３１、３２、３３、３４と、支柱２１、２２、２３、２４に摺動可能に取りつけられた可動ブラケット４１、４２、４３、４４と、隣り合う支柱２１および２２、２２および２３、２３および２４、２４および２１間に設けられたＸ字状フレーム５１（５１ａ、５１ｂ）、５２（５２ａ、５２ｂ）、５３（５３ａ、５３ｂ）、５４（５４ａ、５４ｂ）と、支柱２１、２２、２３、２４およびＸ字状フレーム５１（５１ａ、５１ｂ）、５２（５２ａ、５２ｂ）、５３（５３ａ、５３ｂ）、５４（５４ａ、５４ｂ）に支持された布製の有底袋部材６０とを備えており、さらに前述の四角形領域Ｒの対角線上にある１組の支柱２１、２３の固定ブラケット３１および可動ブラケット４１間と、固定ブラケット３３および可動ブラケット４３間に配置され、当該固定ブラケット３１、３３および可動ブラケット４１、４３間に弾性引張力を付与するコイルバネＣＳとを備えている。
【０００３】
Ｘ字状フレーム５１（５１ａ、５１ｂ)、５２（５２ａ、５２ｂ)、５３（５３ａ、５３ｂ）、５４（５４ａ、５４ｂ）の両端は、固定ブラケットと可動ブラケットとの間に回動可能に取りつけられている。また、Ｘ字状フレームの交差部は枢支されている。たとえば、Ｘ字状フレーム５１ａの一端は固定ブラケット３１に回動可能に取りつけられ、Ｘ字状フレーム５１ａの他端は可動ブラケット４２に回動可能に取りつけられ、Ｘ字状フレーム５１ｂの一端は固定ブラケット３２に回動可能に取りつけられ、Ｘ字状フレーム５１ｂの他端は可動ブラケット４１に回転可能に取りつけられている。
【０００４】
袋部材６０の底部６０ａの４隅には三角形状の孔Ｈ１が形成されており、この孔Ｈに支柱２１、２２、２３、２４が通される。また袋部材６０の上辺の４隅には三角形の布辺６１が取りつけられている。布辺６１の中央に開けられた孔Ｈ２にボルト(図示されていない)を挿通し、このボルトを固定ブラケット３１、３２、３３、３４にネジ止めすることにより、袋部材６０が、支柱２１、２２、２３、２４とＸ字状フレーム５１、５２、５３、５４とからなる枠体に支持される。ボール籠１０を折りたたむときは、コイルバネＣＳの弾性力に抗してＸ字状フレーム５１、５２、５３、５４を閉じ、４本の支柱２１、２２、２３、２４を中央へ寄せてバンド（図示されていない）を巻いてバックルで固定するのである。
【０００５】
【発明が解決しようとする課題】
かかる構造の従来のボール籠にあっては、図６に示すように、袋部材６０内に収納されたボールの重量により、袋部材６０の4隅に矢印ｆで示す内側方向（ボール籠を閉じる方向）の力がはたらき、実際にコイルバネＣＳの弾性力だけでは開放状態が維持できず、わずかに畳まれた状態になることがある。すなわち、コイルバネＣＳの引張力を大きくすると、開放力が大きくなり、閉じるのに大きな力を要することとなり、逆に引張力を小さくすると、開放力も小さくなって閉じる力も小さくて済み、例えば、小学生等でも簡単に閉じることができるようになるが、こうするとボールの重みで閉じてしまう虞がある。
【０００６】
本発明は、従来のボール籠におけるかかる事情に鑑みてなされたものであり、ボールの重量をボール籠を開く方向の力として作用させ、開放状態を確実に維持することができるボール籠を提供することを目的とするものである。
【０００７】
【課題を解決するための手段】
本発明のボール籠は、ボールを収容するための袋部材と、該袋部材を支持するための支持構造体とからなり、
当該袋部材が開放された状態でボールが収容されるボール籠であって、
上記袋部材が、側面部材と、底面部材とからなり、
前記側面部材と底面部材とが別体であり、
前記側面部材と前記底面部材とが、それぞれ、前記支持構造体に支持されてなる
ことを特徴としている（請求項１）。
【０００８】
また、前記支持構造体が、実質的に水平な設置面上の四角形領域の角部に垂直方向に配列された４本の支柱と、
該４本の支柱の上端に取りつけられた固定ブラケットと、
上記４本の支柱に摺動可能に取りつけられた可動ブラケットと、
上記４本の支柱の隣り合う支柱間において、上記固定ブラケットと可動ブラケットとの間に両端が回動可能に取りつけられたＸ字状フレームであって、当該Ｘ字状フレームの交差部が枢支されてなるＸ字状フレームと、
上記固定ブラケットおよび可動ブラケット間に弾性引張力を付与する弾性部材とを備えており、
上記袋部材が、上記４本の支柱によって規定される四角形領域の周囲を囲む側面部材と、四角形の底面部材とからなり、
当該底面部材が、上記支柱を通す輪状の第１バンドと、第２バンドとによって支持され、
該第２バンドの下端が上記底面部材の側辺に固定され、該第２バンドの上端が上記Ｘ字状フレームの外側を通って上記固定ブラケットに固定され、
前記第２バンドが、上記袋部材にボールが格納されたとき、該ボールの重量により上記第２バンドと上記Ｘ字状フレームとが接触するように設置されてなることが好ましい（請求項２）。
【００１０】
【発明の実施の形態】
本発明の実施の形態にかかわるボール籠について添付図面を参照しながら以下に詳細に説明する。
【００１１】
図１は本発明の一実施の形態にかかわるボール籠の袋部材を構成する底面部材が支柱に支持されている状態を示す斜視図、図２は図１の底面部材上にボールを載せたときにＸ字状フレームが底面部材を支持するための第２バンドから受ける力を示す説明図、図３は本発明の一実施の形態にかかわるボール籠の袋部材の構成を示す分解斜視図、図４は図３の袋部材が取りつけられた状態を示す斜視図、図５は本発明のボール籠に適用される支柱およびＸ字状フレームを示す斜視図である。
【００１２】
本実施の形態のボール籠１０（図４参照）は、前述の支柱２１、２２、２３、２４と、Ｘ字状フレーム５１、５２、５３、５４とを備えた支持構造体２０（図５参照）と、当該支持構造体２０に支持される袋部材１５（図３参照）とから構成される。
【００１３】
図５を参照すると、支持構造体２０は、ほぼ水平な設置面Ｓ上の四角形領域Ｒ（２点鎖線で示された領域）の角部Ｃに垂直方向に配列された４本の支柱２１、２２、２３、２４と、当該４本の支柱２１、２２、２３、２４の隣り合う２つの間に設けられたＸ字状フレーム５１、５２、５３、５４とを備えている。
【００１４】
４本の支柱２１、２２、２３、２４の上端には、それぞれ固定ブラケット３１、３２、３３、３４が取りつけられている。また、支柱２１、２２、２３、２４には、それぞれ可動ブラケット４１、４２、４３、４４が摺動可能に取りつけられている。
【００１５】
Ｘ字状フレーム５１、５２、５３、５４は、それぞれ２本の部材（５１ａ、５１ｂ）、（５２ａ、５２ｂ）、（５３ａ、５３ｂ）、（５４ａ、５４ｂ）からＸ字状に構成されており、当該各２本の両端は、４本の支柱２１、２２、２３、２４の隣り合う２つの間で、固定ブラケット３１、３２、３３、３４と可動ブラケット４１、４２、４３、４４との間に回動可能に取りつけられている。Ｘ字状フレーム５１、５２、５３、５４のそれぞれの交差部は、たとえばピンＰにより枢支されている。
【００１６】
袋部材１５は、上記４本の支柱２１、２２、２３、２４およびＸ字状フレーム５１、５２、５３、５４に支持されており、固定ブラケット３１、３２、３３、３４と可動ブラケット４１、４２、４３、４４とのあいだに配置される。
【００１７】
なお、固定ブラケット３１、３２、３３、３４と可動ブラケット４１、４２、４３、４４との間には、弾性引張力を付与するための弾性部材として機能するコイルばねＣＳを備えている。コイルばねＣＳは、弾性部材の一例にすぎない。したがって、コイルばねに代えて複数本のひも状のゴムを用いることも可能である。
【００１８】
図３を参照すると、袋部材１５は、４本の支柱２１、２２、２３、２４によって規定される四角形領域Ｒ（図５参照）の周囲を囲む側面部材４と、該側面部材４とは別体で、ほぼ四角形の形状を有する底面部材１とから構成される。
【００１９】
底面部材１は、底面部材１の四隅に設けられ上記支柱２１、２２、２３、２４を挿通する輪状の第１バンド３と、第２バンド２とによって支持される。第１バンド３は、面状ファスナーを用いて輪状とすることができる。
【００２０】
図３および４を参照すると、側面部材４の上辺の４隅にはほぼ三角形状の布辺５が取りつけられている。布辺５の中央には孔６が穿設されており、この孔６にボルト（図示されていない）を挿通し、ボルトを固定ブラケット３１、３２、３３、３４にネジ止めすることにより、側面部材４が、支柱２１、２２、２３、２４とＸ字状フレーム５１、５２、５３、５４とからなる枠体に支持される。
【００２１】
図３に示されるように、第２バンド２の下端は、底面部材１の側辺に固定され、第２バンド２の上端はＸ字状フレーム５１、５２、５３、５４の外側を通って固定ブラケット３１、３２、３３、３４に、第２バンド２に穿設された孔２ａからボルト（図示されていない）を挿通し、固定ブラケットに形成された雌ネジ部３３ｆに螺着することによって固定される（図５参照）。
【００２２】
袋部材にボールを格納すると、図２に示されるように、底面部材１にボールＢが載せられる。このとき、ボールＢの重量Ｗにより第２バンド２とＸ字状フレーム５４ａ、５４ｂとが接触する部位に上方向への力Ｆが発生する。すなわち、本発明のボール籠によれば、ボールの籠への収納は、前述の固定ブラケット３１、３２、３３、３４と可動ブラケット４１、４２、４３、４４との間に設けられたコイルばねＣＳと相俟って袋部材１５の開放を促進するのである。本発明のボール籠を閉じる場合は、４本の支柱２１、２２、２３、２４の隣り合う２つを接近させ、コイルばねＣＳの弾性力に抗するように力を加えると、４本の支柱２１、２２、２３、２４同士が互いに実質的に接するほどに中央に寄せて窄める。こののち、図３に示されるバンド７ａ、７ｂをバックル８などの適切な連結手段によって結わえる。
【００２３】
本実施の形態にかかわるボール籠の袋部材に採用される素材としては、たとえば、ＰＶＣ、ＰＵなどからなる合成樹脂シート、ナイロン、ポリエステル、コットンなどの織布または不織布が挙げられる。
【００２４】
【発明の効果】
本発明によれば、ボールの重量をボール籠を開く方向の力として作用させ、開放状態を確実に維持することができるボール籠が提供される。また、本発明によれば、袋部材が別々の底面部材及び側面部材にて構成されるから、側面部材にボールの重量が加わることがなくなり、側面部材の外観をすぐれたものとすることができる。すなわち、従来の底面部材と側面部材が一体化した袋部材では、ボールの重みにより底面部材が下方に押され、これに伴って側面部材の中央部分が内側空間によじれて皺が寄り、見映えの悪いものとなっていたが、本発明によれば、ボールの重量にかかわらず、きれいな立体形状の外観が保たれるのである。
【図面の簡単な説明】
【図１】本発明の一実施の形態にかかわるボール籠の袋部材を構成する底面部材が支柱に支持されている状態を示す斜視図である。
【図２】図１の底面部材上にボールを載せたときにＸ字状フレームが底面部材を支持するための第２バンドから受ける力を示す説明図である。
【図３】本発明の一実施の形態にかかわるボール籠の袋部材の構成を示す分解斜視図である。
【図４】図３の袋部材が取りつけられた状態を示す斜視図である。
【図５】本発明のボール籠に適用される支柱およびＸ字状フレームを示す斜視図である。
【図６】従来のボール籠の袋部材の一例を示す斜視図である。
【符号の説明】
１        底面部材
２        第２バンド
３        第１バンド
４        側面部材
５        布片
６        孔
７ａ、７ｂ  バンド
８        バックル
１０        ボール籠
１５        袋部材
２０        支持構造体
２１、２２  支柱
２３、２４  支柱
３１、３２  固定ブラケット
３３、３４  固定ブラケット
４１、４２  可動ブラケット
４３、４４  可動ブラケット
５１、５２  Ｘ字状フレーム
５３、５４  Ｘ字状フレーム
Ｂ        ボール
Ｃ        角部
ＣＳ      コイルばね
Ｒ        四角形領域
【図１】
0003980875.tif 000002
【図２】
0003980875.tif 000003
【図３】
0003980875.tif 000004
【図４】
0003980875.tif 000005
【図５】
0003980875.tif 000006
【図６】
0003980875.tif 000007